(57)【要約】【課題】コンテンツ処理システムにおいて、コンテンツにワークフローに従って処理を効率的に行うことを可能とする。【解決手段】コンテンツ処理システムは、コンテンツ及びコンテンツの付属情報を格納するコンテンツ管理装置（３００）と、コンテンツ管理装置にネットワーク（９００）を介して接続可能な複数の携帯型端末（１００）とを含み、複数の携帯型端末によりコンテンツに、ワークフローに従って処理を行うためのシステムである。コンテンツ処理システムは、ワークフローにおいて現在行われるべき処理が第１の処理から第２の処理へ移行した際、複数の携帯型端末のうち第２の処理を行うべき携帯型端末にコンテンツ及び付属情報の少なくとも一部を格納する第１の格納手段（２４０、２５０、２６０）を備える。【選択図】図２
2011181010.tif 000002
【特許請求の範囲】
【請求項１】
コンテンツ及び該コンテンツの付属情報を格納するコンテンツ管理装置と、該コンテンツ管理装置にネットワークを介して接続可能な複数の携帯型端末とを含み、前記複数の携帯型端末により前記コンテンツに、ワークフローに従って処理を行うためのコンテンツ処理システムであって、
前記ワークフローにおいて現在行われるべき処理が第１の処理から第２の処理へ移行した際、前記複数の携帯型端末のうち前記第２の処理を行うべき携帯型端末に前記コンテンツ及び前記付属情報の少なくとも一部を格納する第１の格納手段を備える
ことを特徴とするコンテンツ処理システム。
【請求項２】
前記携帯型端末により前記コンテンツに処理が行われた際、処理済みの前記コンテンツ及び前記付属情報の少なくとも一部を前記コンテンツ管理装置に格納する第２の格納手段を更に備えることを特徴とする請求項１に記載のコンテンツ処理システム。
【請求項３】
前記第２の格納手段は、前記携帯型端末により前記コンテンツに処理が行われた際、該処理が行われることにより前記コンテンツが変更された内容を示す処理後情報を前記付属情報として、前記コンテンツ管理装置に格納することを特徴とする請求項２に記載のコンテンツ処理システム。
【請求項４】
前記第２の格納手段によって前記処理済みのコンテンツ及び前記付属情報の少なくとも一部が前記コンテンツ管理装置に格納される際、前記携帯型端末に格納されている前記処理済のコンテンツ及び前記付属情報を前記携帯型端末から消去する消去手段を更に備えることを特徴とする請求項２又は３に記載のコンテンツ処理システム。
【請求項５】
前記複数の携帯型端末のうち少なくとも一の携帯型端末に対応して設けられ、前記第１の格納手段、前記第２の格納手段及び前記消去手段の少なくとも一部として機能する固定型端末を更に備えることを特徴とする請求項４に記載のコンテンツ処理システム。
【請求項６】
前記複数の携帯型端末の各々は、手書き文字、ハイライト表示及び電子付箋の少なくとも一を付加情報として前記コンテンツに付加する付加手段を有することを特徴とする請求項１から５のいずれか一項に記載のコンテンツ処理システム。
【請求項７】
前記複数の携帯型端末の各々は、前記コンテンツを表示するための電子ペーパーからなる表示部を有することを特徴とする請求項１から６のいずれか一項に記載のコンテンツ処理システム。
【請求項８】
前記複数の携帯型端末の各々は、情報を暗号化する機能、情報を復号化する機能、機器認証を行う機能、生体認証を行う機能、パスワード認証を行う機能のうち少なくとも一の機能を有することを特徴とする請求項１から７のいずれか一項に記載のコンテンツ処理システム。
【請求項９】
複数の携帯型端末によりコンテンツに、ワークフローに従って処理を行うためのコンテンツ処理方法であって、
前記ワークフローにおいて現在行われるべき処理が第１の処理から第２の処理へ移行した際、前記複数の携帯型端末のうち前記第２の処理を行うべき携帯型端末に前記コンテンツ及び該コンテンツの付属情報の少なくとも一部を格納する格納ステップを含む
ことを特徴とするコンテンツ処理方法。
【請求項１０】
請求項１に記載のコンテンツ処理システムに備えられたコンピューターを制御するコンピュータープログラムであって、該コンピューターを前記第１の格納手段として機能させることを特徴とするコンピュータープログラム。
【請求項１１】
請求項１０に記載のコンピュータープログラムがコンピューターに読み取り可能に記録された記憶媒体。
【請求項１２】
ワークフローに従って処理が行われるコンテンツ及び該コンテンツの付属情報を格納するコンテンツ管理装置にネットワークを介して接続された携帯型端末であって、
前記ワークフローにおいて現在行われるべき処理が第１の処理から第２の処理へ移行した際、該第２の処理が当該携帯型端末により行われるべき処理である場合には、当該携帯型端末に前記コンテンツ及び前記付属情報の少なくとも一部を格納する格納手段を備える
ことを特徴とする携帯型端末。
【発明の詳細な説明】
【技術分野】
【０００１】
本発明は、コンテンツ処理システム、コンテンツ処理方法、コンピュータープログラム、記憶媒体及び携帯型端末の技術分野に関する。
【背景技術】
【０００２】
この種のコンテンツ処理システムとして、ワークフローに従ってコンテンツに処理を行うためのワークフローシステムが知られている（例えば特許文献１から４参照）。このようなワークフローシステムでは、一般的に、処理を行うべきユーザーは、パーソナルコンピューター（ＰＣ：Personal Computer）等の端末を用いて、コンテンツが格納されたコンテンツ管理装置にアクセスしてコンテンツに処理を行う。
【０００３】
例えば特許文献１には、業務の処理の際に、該処理に対応する文書の位置情報を端末に配信するワークフローシステムが開示されている。例えば特許文献２には、ワークフローシステムにおいて、契約業務やプログラム受発注業務における文書作成の手間と作成ミスを減らすための技術が開示されている。例えば特許文献３には、ワークフローシステムにおいて、設計書類を各設計者の端末に送信すると共に、送信中の設計書類の版数と既に送信された設計書類の版数とを比較し、版数が異なっている場合に変更箇所を設計者に示す技術が開示されている。例えば特許文献４には、ワークフローシステムにおいて、各担当者の端末が自己が判断した次の担当者の端末に成果物を送信し、この送信を監視することにより、新規の仕事に対するフローを自動的に生成する技術が開示されている。
【先行技術文献】
【特許文献】
【０００４】
【特許文献１】特開２００８−２５０７８０号公報
【特許文献２】特開２００４−７０４６６号公報
【特許文献３】特開２００１−１０９７８６号公報
【特許文献４】特開平１１−１７５６３９号公報
【発明の概要】
【発明が解決しようとする課題】
【０００５】
しかしながら、上述したようなワークフローシステムでは、例えば、ユーザーが端末においてコンテンツに処理を行う際、コンテンツをコンテンツ管理装置から端末にダウンロードするのに手間（即ち、時間や労力）が多くかかってしまい、コンテンツに処理を効率的に行うことができないおそれがあるという技術的問題点がある。また、ユーザーが端末において処理した後のコンテンツをコンテンツ管理装置に格納するのに手間が多くかかってしまうおそれがあるという技術的問題点もある。
【０００６】
本発明は、例えば上述した問題点に鑑みなされたものであり、例えば、コンテンツにワークフローに従って処理を効率的に行うことが可能なコンテンツ処理システム、コンテンツ処理方法、コンピュータープログラム、記憶媒体及び携帯型端末を提供することを課題とする。
【課題を解決するための手段】
【０００７】
本発明のコンテンツ処理システムは上記課題を解決するために、コンテンツ及び該コンテンツの付属情報を格納するコンテンツ管理装置と、該コンテンツ管理装置にネットワークを介して接続可能な複数の携帯型端末とを含み、前記複数の携帯型端末により前記コンテンツに、ワークフローに従って処理を行うためのコンテンツ処理システムであって、前記ワークフローにおいて現在行われるべき処理が第１の処理から第２の処理へ移行した際、前記複数の携帯型端末のうち前記第２の処理を行うべき携帯型端末に前記コンテンツ及び前記付属情報の少なくとも一部を格納する第１の格納手段を備える。
【０００８】
本発明のコンテンツ処理システムによれば、コンテンツ管理装置に格納されたコンテンツに、複数のユーザーによって例えばＰＤＡ（Personal Digital Assistant）、携帯電話、ホータブルコンピューター等の携帯型端末を用いて、ワークフローに従って処理が行われる。ここで、本発明に係る「コンテンツ」とは、文書データ、写真データ、音楽データ、映像データ、又はこれらを組み合わせたものを意味する。コンテンツの一例として、ＰＤＦ（Portable Document Format）データが挙げられる。本発明に係る「コンテンツの付属情報」とは、コンテンツに対応付けられている情報であって、コンテンツに関連する情報を意味する。コンテンツの付属情報としては、例えば、処理が行われることによりコンテンツが変更された内容を示す情報や、該コンテンツに関連する他のコンテンツ（例えばユーザーがコンテンツに処理を行う際に参照するとよい他のコンテンツなど）が挙げられる。携帯型端末は、複数のユーザーのうち少なくとも一のユーザーに夫々対応して複数設けられている。ワークフローは、コンテンツに行われるべき複数の処理の流れ及び該複数の処理の各々を行うべきユーザーを規定している。ワークフローは、例えば、コンテンツ管理装置にネットワークを介して接続されたワークフロー管理装置によって管理される。例えば、ワークフローに規定された複数の処理のうちいずれの処理が行われ（即ち、処理済みであり）、現在行われるべき処理が複数の処理のうちいずれの処理であるか、該処理を行うべきユーザーが複数のユーザーのうちいずれのユーザーであるか、該ユーザーに対応する携帯型端末は複数の携帯型端末のうちいずれの携帯型端末であるかなどがワークフロー管理装置によって管理される。なお、ワークフローは、ネットワークを介してコンテンツ管理装置に接続された他の装置によって管理されていてもよく、例えばＰＣ等の固定型端末により管理されていてもよい。
【０００９】
本発明では特に、ワークフローにおいて現在行われるべき処理が第１の処理から第２の処理へ移行した際、複数の携帯型端末のうち第２の処理を行うべき携帯型端末にコンテンツ及び付属情報の少なくとも一部が第１の格納手段によって格納される。
【００１０】
よって、ユーザーが携帯型端末により第２の処理を行う際の、コンテンツ及び付属情報をコンテンツ管理装置から携帯型端末に格納するためのユーザーの労力や時間を低減できる。即ち、例えば、ユーザーが携帯型端末により第２の処理を行う際に、ユーザーが携帯型端末によりコンテンツ管理装置にアクセスし、第２の処理が行われるべきコンテンツや該コンテンツの付属情報（例えば該コンテンツに関連する他のコンテンツ）を探して、これらをコンテンツ管理装置から携帯型端末にダウンロードする場合と比較して、ユーザーが携帯型端末により第２の処理を行う際の労力や時間を低減できる。
【００１１】
従って、本発明のコンテンツ処理システムによれば、コンテンツにワークフローに従って処理を効率的に行うことができる。
【００１２】
本発明のコンテンツ処理システムの一態様では、前記携帯型端末により前記コンテンツに処理が行われた際、処理済みの前記コンテンツ及び前記付属情報の少なくとも一部を前記コンテンツ管理装置に格納する第２の格納手段を更に備える。
【００１３】
この態様によれば、例えば、ユーザーが処理済みのコンテンツ及び付属情報をコンテンツ管理装置に格納する手間を低減或いは無くすことができ、コンテンツに処理が行われてから処理済みのコンテンツ及び付属情報がコンテンツ管理装置に格納されるまでの時間を短縮できる。
【００１４】
上述した第２の格納手段を備える態様では、前記第２の格納手段は、前記携帯型端末により前記コンテンツに処理が行われた際、該処理が行われることにより前記コンテンツが変更された内容を示す処理後情報を前記付属情報として、前記コンテンツ管理装置に格納してもよい。
【００１５】
この態様によれば、例えば、ユーザーがコンテンツの処理後情報をコンテンツ管理装置に格納する手間を低減或いは無くすことができ、コンテンツに処理が行われてからコンテンツの処理後情報がコンテンツ管理装置に格納されるまでの時間を短縮できる。
【００１６】
上述した第２の格納手段を備える態様では、前記第２の格納手段によって前記処理済みのコンテンツ及び前記付属情報の少なくとも一部が前記コンテンツ管理装置に格納される際、前記携帯型端末に格納されている前記処理済みのコンテンツ及び前記付属情報を前記携帯型端末から消去する消去手段を更に備えてもよい。
【００１７】
この場合には、ユーザーが携帯型端末により処理済みのコンテンツ及び付属情報を管理する手間を低減或いは無くすことができる。更に、携帯型端末が有する例えばメモリー、ハードディスク等の記憶部の記憶容量が処理後情報によって圧迫されることを回避できる。
【００１８】
上述した消去手段を備える態様では、前記複数の携帯型端末のうち少なくとも一の携帯型端末に対応して設けられ、前記第１の格納手段、前記第２の格納手段及び前記消去手段の少なくとも一部として機能する固定型端末を更に備えてもよい。
【００１９】
この場合には、例えばデスクトップパソコン等の固定型端末が上述した第１の格納手段、第２の格納手段及び消去手段の少なくとも一部として機能するので、携帯型端末は該少なくとも一部として機能する必要がなく、携帯型端末を比較的簡単な構成とすることができる。
【００２０】
本発明のコンテンツ処理システムの他の態様では、前記複数の携帯型端末の各々は、手書き文字、ハイライト表示及び電子付箋の少なくとも一を付加情報として前記コンテンツに付加する付加手段を有する。
【００２１】
この態様によれば、ユーザーは処理に係る付加情報をコンテンツに容易に付加することができる。従って、ユーザーがコンテンツに処理を行う際の利便性を高めることができる。
【００２２】
本発明のコンテンツ処理システムの他の態様では、前記複数の携帯型端末の各々は、前記コンテンツを表示するための電子ペーパーからなる表示部を有する。
【００２３】
この態様によれば、ユーザーは携帯型端末を紙のような感覚で利用してコンテンツに処理を行うことができる。
【００２４】
本発明のコンテンツ処理システムの他の態様では、前記複数の携帯型端末の各々は、情報を暗号化する機能、情報を復号化する機能、機器認証を行う機能、生体認証を行う機能、パスワード認証を行う機能のうち少なくとも一の機能を有する。
【００２５】
この態様によれば、例えばコンテンツの漏洩や改竄などの情報セキュリティー上のリスクを低減できる。
【００２６】
本発明のコンテンツ処理方法は上記課題を解決するために、複数の携帯型端末によりコンテンツに、ワークフローに従って処理を行うためのコンテンツ処理方法であって、前記ワークフローにおいて現在行われるべき処理が第１の処理から第２の処理へ移行した際、前記複数の携帯型端末のうち前記第２の処理を行うべき携帯型端末に前記コンテンツ及び該コンテンツの付属情報の少なくとも一部を格納する格納ステップを含む。
【００２７】
本発明のコンテンツ処理方法によれば、上述した本発明のコンテンツ処理システムと概ね同様に、コンテンツにワークフローに従って処理を効率的に行うことができる。
【００２８】
尚、上述した本発明のコンテンツ処理システムにおける各種態様に対応して、本発明のコンテンツ処理方法も各種態様を採ることが可能である。
【００２９】
本発明のコンピュータープログラムは上記課題を解決するために、上述した本発明のコンテンツ処理システムに備えられたコンピューターを制御するコンピュータープログラムであって、該コンピューターを前記第１の格納手段として機能させる。
【００３０】
本発明のコンピュータープログラムによれば、上述した本発明のコンテンツ処理システムと概ね同様に、コンテンツにワークフローに従って処理を効率的に行うことができる。
【００３１】
尚、上述した本発明のコンテンツ処理システムにおける各種態様に対応して、本発明のコンピュータープログラムも各種態様を採ることが可能である。
【００３２】
本発明の記憶媒体は上記課題を解決するために、上述した本発明のコンピュータープログラムがコンピューターに読み取り可能に記録される。
【００３３】
本発明の記憶媒体によれば、上述した本発明のコンテンツ処理システムと概ね同様に、コンテンツにワークフローに従って処理を効率的に行うことができる。
【００３４】
尚、上述した本発明のコンテンツ処理システムにおける各種態様に対応して、本発明の記憶媒体も各種態様を採ることが可能である。
【００３５】
本発明の携帯型端末は上記課題を解決するために、ワークフローに従って処理が行われるコンテンツ及び該コンテンツの付属情報を格納するコンテンツ管理装置にネットワークを介して接続された携帯型端末であって、前記ワークフローにおいて現在行われるべき処理が第１の処理から第２の処理へ移行した際、該第２の処理が当該携帯型端末により行われるべき処理である場合には、当該携帯型端末に前記コンテンツ及び前記付属情報の少なくとも一部を格納する格納手段を備える。
【００３６】
本発明の携帯型端末によれば、上述した本発明のコンテンツ処理システムと概ね同様に、コンテンツにワークフローに従って処理を効率的に行うことができる。
【００３７】
尚、上述した本発明のコンテンツ処理システムにおける各種態様に対応して、本発明の携帯型端末も各種態様を採ることが可能である。
【００３８】
本発明の作用及び他の利得は次に説明する発明を実施するための形態から明らかにされる。
【図面の簡単な説明】
【００３９】
【図１】第１実施形態に係るコンテンツ処理システムの概略構成を示すブロック図である。
【図２】第１実施形態に係るＰＣ及び携帯型端末の構成を示すブロック図である。
【図３】第１実施形態に係るコンテンツ処理システムの第１動作例を説明するためのフローチャート（その１）である。
【図４】第１実施形態に係るコンテンツ処理システムの第１動作例を説明するためのフローチャート（その２）である。
【図５】第１実施形態に係るコンテンツ処理システムの第２動作例を説明するためのフローチャートである。
【図６】第１実施形態に係るコンテンツ処理システムの第３動作例を説明するためのフローチャート（その１）である。
【図７】第１実施形態に係るコンテンツ処理システムの第３動作例を説明するためのフローチャート（その２）である。
【図８】第２実施形態に係るコンテンツ処理システムの概略構成を示すブロック図である。
【図９】第２実施形態に係るコンテンツ処理システムの第１動作例を説明するためのフローチャートである。
【図１０】第２実施形態に係るコンテンツ処理システムの第２動作例を説明するためのフローチャートである。
【発明を実施するための形態】
【００４０】
以下では、本発明の実施形態について図を参照しつつ説明する。
【００４１】
＜第１実施形態＞
第１実施形態に係るコンテンツ処理システムについて、図１から図７を参照して説明する。
【００４２】
先ず、本実施形態に係るコンテンツ処理システムの構成について、図１及び図２を参照して説明する。
【００４３】
図１は、本実施形態に係るコンテンツ処理システムの概略構成を示すブロック図である。
【００４４】
図１において、本実施形態に係るコンテンツ処理システム１は、コンテンツ管理装置３００に格納されたコンテンツに、複数のユーザーが携帯型端末１００を用いて、ワークフローに従って処理を行うためのシステムである。
【００４５】
コンテンツ処理システム１は、複数の携帯型端末１００と、複数のＰＣ（パーソナルコンピューター）２００と、コンテンツ管理装置３００と、ワークフロー管理装置４００とを備えている。複数のＰＣ２００と、コンテンツ管理装置３００と、ワークフロー管理装置４００とは例えばインターネット、ＬＡＮ（Local Area Network）などのネットワーク９００を介して互いに接続されている。複数の携帯型端末１００の各々は、複数のＰＣ２００のいずれかに対応して設けられており、対応するＰＣ２００に有線通信又は無線通信によって接続可能に構成されている。
【００４６】
コンテンツ管理装置３００は、ドキュメントマネージメントシステム（ＤＭＳ：Document Management System）を有しており、複数のコンテンツ及びこれらコンテンツの付属情報を格納及び管理する。ここで、コンテンツとは、文書データ、写真データ、音楽データ、映像データ、又はこれらを組み合わせたものを意味する。コンテンツの一例として、ＰＤＦデータが挙げられる。また、付属情報とは、コンテンツに対応付けられている情報であって、コンテンツに関連する情報を意味する。コンテンツの付属情報としては、例えば、処理が行われることによりコンテンツが変更された内容を示す処理後情報や、該コンテンツに関連する関連コンテンツ（例えばユーザーがコンテンツに処理を行う際に参照するとよいコンテンツなど）が挙げられる。
【００４７】
ワークフロー管理装置４００は、コンテンツ管理装置３００に格納されているコンテンツに行われるべき複数の処理の流れを規定するワークフローを管理する。ワークフロー管理装置４００は、例えば、ワークフローに規定された複数の処理のうちいずれの処理が行われたか（即ち、いずれの処理が処理済みであるか）、現在行われるべき処理が複数の処理のうちいずれの処理であるか、該処理を行うべきユーザーが複数のユーザーのうちいずれのユーザーであるか、該ユーザーに対応する携帯型端末１００は複数の携帯型端末１００のうちいずれの携帯型端末１００であるかなどを管理する。より具体的には、ワークフロー管理装置４００は、ワークフローにおける各ユーザーが行うべき処理の処理状態を、「未処理」、「処理中」及び「完了」のいずれかとして管理する。即ち、ワークフロー管理装置４００は、未だに行われていない処理については処理状態を「未処理」とし、ユーザーによって現在行われている処理については処理状態を「処理中」とし、既に行われた処理については処理状態を「完了」とする。また、ワークフロー管理装置４００は、ワークフローにおける複数の処理の各々について、処理が行われるべきコンテンツ及びその関連コンテンツが格納されているコンテンツ管理装置３００における格納場所を管理する。
【００４８】
ＰＣ２００は、本発明に係る「固定型端末」の一例としてのデスクトップパソコンであり、例えば、コンテンツ管理装置３００からコンテンツ及び関連コンテンツを取得して、携帯型端末１００に送信する。尚、ＰＣ２００の構成については、図２を参照して後に詳細に説明する。
【００４９】
携帯型端末１００は、ユーザーが携帯可能な例えばＰＤＡ、携帯電話、ホータブルコンピューター等の情報処理装置からなり、ユーザーがコンテンツに処理を行うために用いられる。携帯型端末１００は、コンテンツを表示及び編集することが可能に構成されている。尚、携帯型端末１００の構成については、図２を参照して後に詳細に説明する。
【００５０】
図２は、ＰＣ２００及び携帯型端末１００の構成を示すブロック図である。
【００５１】
図２において、ＰＣ２００は、情報記憶媒体インターフェース（Ｉ／Ｆ：interface）２１０と、記憶部２２０と、通信部２３０と、ワークフロー管理部２４０と、コンテンツ処理制御部２５０と、コンテンツ管理部２６０と、接続状況監視部２７０とを備えている。
【００５２】
情報記憶媒体Ｉ／Ｆ２１０は、例えば光ディスクドライブ等からなり、例えば光ディスク等の記憶媒体に記録された情報を読み取る。
【００５３】
記憶部２２０は、例えばハードディスク、フラッシュメモリー等からなり、コンテンツを一時的に保存或いは格納する。
【００５４】
通信部２３０は、例えばＬＡＮインターフェースを有しており、携帯型端末１００、コンテンツ管理装置３００及びワークフロー管理装置４４０との通信を行う。
【００５５】
ワークフロー管理部２４０は、例えばＣＰＵ（Central Processing Unit）、ＲＡＭ（Random Access Memory）、ＲＯＭ（Read Only Memory）等からなり、当該ＰＣ２００に対応する携帯型端末１００により処理が行われるワークフローを管理する。例えば、ワークフローにおいて当該ＰＣ２００に対応する携帯型端末１００により行われるべき処理の処理状態を管理したり、該処理が行われるべきコンテンツ及び関連コンテンツに関する情報（例えば、該コンテンツ及び関連コンテンツの名称やコンテンツ管理装置３００における格納場所）や、処理済みのコンテンツ及び関連コンテンツを格納する格納場所を示す格納先情報をワークフロー管理装置４００から取得したりする。また、ワークフロー管理部２４０は、これらの情報をコンテンツ処理制御部２５０に伝達する。
【００５６】
コンテンツ処理制御部２５０は、例えばＣＰＵ、ＲＡＭ、ＲＯＭ等からなり、当該ＰＣ２００に対応する携帯型端末１００によりコンテンツに行われる処理を総合的に制御する。例えば、コンテンツ処理制御部２５０は、処理が行われるべきコンテンツを携帯型端末１００に送信するように、後述するコンテンツ管理部２６０を制御したり、コンテンツ管理部２６０によって携帯型端末１００に送信されたコンテンツ及び関連コンテンツが複数のユーザーのうちいずれのユーザーが行うべきかを携帯型端末１００のコンテンツ処理管理部１５０に伝達したりする。また、コンテンツ処理制御部２５０は、ワークフロー管理部２４０によって管理されている当該ＰＣ２００に対応する携帯型端末１００により行われるべき処理の処理状態を更新する。
【００５７】
コンテンツ管理部２６０は、例えばＣＰＵ、ＲＡＭ、ＲＯＭ等からなり、コンテンツ及び関連コンテンツをコンテンツ管理装置３００から取得して、記憶部２２０に一時的に保存或いは格納する。また、コンテンツ管理部２６０は、記憶部２２０に一時的に保存或いは格納したコンテンツ及び関連コンテンツを、通信部２３０を介して携帯型端末１００に送信する。
【００５８】
接続状況監視部２７０は、ＰＣ２００と携帯型端末１００との間の接続状況を監視する。即ち、接続状況監視部２７０は、ＰＣ２００の通信部２３０と携帯型端末１００の通信部１１０とが通信可能な接続状況であるか否かを監視する。
【００５９】
図２において、携帯型端末１００は、通信部１１０と、記憶部１２０と、表示部１３０と、入力部１４０と、コンテンツ処理管理部１５０とを備えている。
【００６０】
通信部１１０は、通信インターフェースを有しており、ＰＣ２００の通信部２３０と通信を行う。
【００６１】
記憶部１２０は、例えばハードディスク、フラッシュメモリー等からなり、コンテンツを一時的に保存或いは格納する。
【００６２】
表示部１３０は、電子ペーパーからなり、記憶部１２０に保存されたコンテンツを表示する。また、表示部１３０は、コンテンツの付属情報やコンテンツの処理を促すメッセージなどを表示する。ここで、本実施形態では特に、表示部１３０が電子ペーパーからなるので、ユーザーは携帯型端末１００を紙のような感覚で利用してコンテンツに処理を行うことができる。尚、表示部１３０は、液晶ディスプレイや有機エレクトロルミネッセンスディスプレイから構成されてもよい。
【００６３】
入力部１４０は、例えばタッチパネル、ボタン等からなり、ユーザーがコンテンツに処理を行うための指示を入力可能に構成されている。入力部１４０は、コンテンツに、手書き文字、ハイライト表示及び電子付箋を付加することが可能に構成されている。よって、ユーザーはコンテンツの処理に係る付加情報をコンテンツに容易に付加することができる。従って、ユーザーがコンテンツに処理を行う際の利便性を高めることができる。尚、入力部１４０は本発明に係る「付加手段」の一例である。
【００６４】
コンテンツ処理管理部１５０は、例えばＣＰＵ、ＲＡＭ、ＲＯＭ等からなり、携帯型端末１００におけるコンテンツの処理を管理する。例えば、コンテンツ処理管理部１５０は、コンテンツの処理を促すメッセージや処理が行われるべきコンテンツ及び関連コンテンツを表示部１３０に表示させたり、携帯型端末１００において行われる処理の処理状態を管理したりする。より具体的には、コンテンツ処理管理部１５０は、当該携帯型端末１００により行われる処理の処理状態を、「未処理」、「処理中」及び「完了」のいずれかとして管理する。即ち、コンテンツ処理管理部１５０は、未だに行われていない処理については処理状態を「未処理」とし、ユーザーによって現在行われている処理については処理状態を「処理中」とし、既に行われた処理については処理状態を「完了」とする。また、コンテンツ処理管理部１５０は、ＰＣ２００から受信したコンテンツ及び関連コンテンツを記憶部１２０に保存或いは格納したり、処理が行われたコンテンツ及び関連コンテンツをＰＣ２００に送信したりする。
【００６５】
尚、携帯型端末１００は、情報を暗号化する機能、情報を復号化する機能、機器認証を行う機能、生体認証を行う機能、パスワード認証を行う機能のうち少なくとも一の機能を有していてもよい。この場合には、例えばコンテンツの漏洩や改竄などの情報セキュリティー上のリスクを低減できる。
【００６６】
次に、本実施形態に係るコンテンツ処理システムの動作について、図２に加えて図３から図７を参照して説明する。
【００６７】
図３及び図４は、コンテンツ処理システム１の第１動作例を説明するためのフローチャートである。
【００６８】
図３及び図４では、コンテンツ処理システム１の第１動作例として、ワークフロー管理装置４００によって管理されているワークフローにおいて現在行われるべき処理が、複数のユーザーのうちユーザーＡに遷移した際の動作が示されている。尚、以下では、携帯型端末１００及びＰＣ２００はユーザーＡに対応して設けられたものとする。
【００６９】
図３において、先ず、ＰＣ２００のワークフロー管理部２４０は、ワークフローにおいて現在行われるべき処理がユーザーＡが行うべき処理であるか否かを、通信部２３０及びネットワーク９００を介して、ワークフロー管理装置４００に問い合わせる（ステップＳ１０）。次に、ワークフロー管理部２４０は、ワークフロー管理装置４００からの応答に基づいて、ワークフローにおいて現在行われるべき処理がユーザーＡに遷移したか否かを判定する（ステップＳ２０）。
【００７０】
現在行われるべき処理がユーザーＡに遷移していないと判定された場合、即ち、現在行われるべき処理が、複数のユーザーのうちユーザーＡ以外の他のユーザーが行うべき処理である場合には（ステップＳ２０：Ｎｏ）、ワークフロー管理部２４０は、所定期間の後に再び、ワークフローにおいて現在行われるべき処理がユーザーＡが行うべき処理であるか否かをワークフロー管理装置４００に問い合わせる（ステップＳ１０）。
【００７１】
現在行われるべき処理がユーザーＡに遷移したと判定された場合、即ち、現在行われるべき処理がユーザーＡが行うべき処理である場合には（ステップＳ２０：Ｙｅｓ）、ワークフロー管理部２４０は、ユーザーＡが処理を行うべきコンテンツ及び関連コンテンツに関する情報（例えば、コンテンツ及び関連コンテンツの名称やコンテンツ管理装置３００における格納場所を示す情報）を、ワークフロー管理装置４００から取得する（ステップＳ３０）。この際、ワークフロー管理部２４０は、「ユーザーＡが処理を行うべきコンテンツ及び関連コンテンツに関する情報」をコンテンツ管理部２６０に伝達すると共に、ワークフローにおいて現在行われるべき処理がユーザーＡに遷移した旨及び「ユーザーＡが処理を行うべきコンテンツ及び関連コンテンツに関する情報」をコンテンツ処理制御部２５０に伝達する。また、ワークフロー管理部２４０は、ユーザーＡが処理を行うべきコンテンツ及び関連コンテンツをコンテンツ管理装置３００から取得する旨の指示を、コンテンツ管理部２６０に与える。
【００７２】
次に、コンテンツ管理部２６０は、ワークフロー管理部２４０から伝達された「ユーザーＡが処理を行うべきコンテンツ及び関連コンテンツに関する情報」に基づいて、ユーザーＡが処理を行うべきコンテンツ及び関連コンテンツを、通信部２３０及びネットワーク９００を介して、コンテンツ管理装置３００から取得する（ステップＳ４０）。この際、コンテンツ管理部２６０は、取得したコンテンツ及び関連コンテンツを記憶部２２０に一時的に保存或いは格納する。
【００７３】
次に、コンテンツ処理制御部２５０は、携帯型端末１００とＰＣ２００との接続状況を、接続状況監視部２７０に問い合わせる（ステップＳ５０）。次に、接続状況監視部２７０は、携帯型端末１００とＰＣ２００とが接続されているか否か、即ち、ＰＣ２００の通信部２３０が携帯型端末１００の通信部１１０と通信可能な接続状態であるか否かを判定する（ステップＳ６０）。
【００７４】
携帯型端末１００とＰＣ２００とが接続されていないと判定された場合には（ステップＳ６０：Ｎｏ）、所定期間の後に再び、コンテンツ処理制御部２５０は、携帯型端末１００とＰＣ２００との接続状況を、接続状況監視部２７０に問い合わせる（ステップＳ５０）。
【００７５】
携帯型端末１００とＰＣ２００とが接続されていると判定された場合には（ステップＳ６０：Ｙｅｓ）、コンテンツ処理制御部２５０は、ユーザーＡが処理を行うべきコンテンツ及び関連コンテンツを携帯型端末１００に送信するように、コンテンツ管理部２６０を制御する（ステップＳ７０）。言い換えれば、この場合には（ステップＳ６０：Ｙｅｓ）、コンテンツ管理部２６０は、コンテンツ処理制御部２５０による制御下で、記憶部２２０に一時的に保存されているユーザーＡが処理を行うべきコンテンツ及び関連コンテンツを、通信部２３０を介して携帯型端末１００に送信する（ステップＳ７０）。
【００７６】
次に、図４において、携帯型端末１００のコンテンツ処理管理部１５０は、通信部１１０によって受信されたユーザーＡが処理を行うべきコンテンツ及び関連コンテンツを、記憶部１２０に保存或いは格納する（ステップＳ８０）。
【００７７】
次に、ＰＣ２００のコンテンツ処理制御部２５０は、コンテンツ管理部２６０が送信したコンテンツがユーザーＡが処理すべきものである旨を、携帯型端末１００のコンテンツ処理管理部１５０に伝達する（ステップＳ９０）。
【００７８】
次に、携帯型端末１００のコンテンツ処理管理部１５０は、ユーザーＡが行うべき処理の処理状態を「処理中」とする（ステップＳ１００）。
【００７９】
その後、例えば、ユーザーＡは、携帯型端末１００のＰＣ２００との接続を切断し、携帯型端末１００を携帯して、携帯型端末１００によりコンテンツの処理を行う。
【００８０】
ここで本実施形態では特に、ワークフローにおいて現在行われるべき処理がユーザーＡに遷移した場合には（ステップＳ２０：Ｙｅｓ）、ユーザーＡに対応する携帯型端末１００に、ユーザーＡが処理を行うべきコンテンツ及び関連コンテンツが格納される（ステップＳ３０からステップＳ８０）。尚、ＰＣ２００のワークフロー管理部２４０、コンテンツ処理制御部２５０及びコンテンツ管理部２６０は、本発明に係る「第１の格納手段」の一例を構成する。
【００８１】
よって、ユーザーＡが携帯型端末１００により処理を行う際の、コンテンツ及び関連コンテンツをコンテンツ管理装置３００から携帯型端末１００に格納するためのユーザーＡの労力や時間を低減できる。即ち、例えば、ユーザーＡが携帯型端末１００により処理を行う際に、ユーザーＡが携帯型端末１００によりコンテンツ管理装置３００にアクセスし、処理が行われるべきコンテンツや関連コンテンツを探して、これらをコンテンツ管理装置３００から携帯型端末１００にダウンロードする場合と比較して、ユーザーＡが携帯型端末１００により処理を行う際の労力や時間を低減できる。
【００８２】
従って、本実施形態に係るコンテンツ処理システム１によれば、コンテンツにワークフローに従って処理を効率的に行うことができる。
【００８３】
図５は、コンテンツ処理システム１の第２動作例を説明するためのフローチャートである。
【００８４】
図５では、コンテンツ処理システム１の第２動作例として、ワークフローにおいて現在行われるべき処理がユーザーＡに遷移し、ユーザーＡが携帯型端末１００により処理を行う際の動作が示されている。
【００８５】
図５において、携帯型端末１００のコンテンツ処理管理部１５０は、コンテンツの処理を促すメッセージを表示部１３０に表示させる（ステップＳ１１０）。
【００８６】
次に、ユーザーＡは、処理を行うべきコンテンツ及び関連コンテンツを表示部１３０に表示すべき旨の指示を入力部１４０に入力する（ステップＳ１２０）。
【００８７】
次に、コンテンツ処理管理部１５０は、ステップＳ１２０において入力部１４０に入力された指示に応じて、記憶部１２０に保存されている、ユーザーＡが処理を行うべきコンテンツ及び関連コンテンツを表示部１３０に表示させる（ステップＳ１３０）。
【００８８】
次に、ユーザーＡは、例えば表示部１３０に表示された関連コンテンツを閲覧して、コンテンツに例えば手書き文字、ハイライト表示或いは電子付箋を付加する等の処理を行う（ステップＳ１４０）。この際、コンテンツにユーザーＡによって処理が行われることにより、コンテンツの付属情報が変更される。
【００８９】
次に、ユーザーＡは、処理が終了した旨を、入力部１４０に入力する（ステップＳ１５０）。
【００９０】
次に、コンテンツ処理管理部１５０は、記憶部１２０に保存されてるコンテンツ及び関連コンテンツを、ユーザーＡによって処理が行われた後のコンテンツ及び関連コンテンツに更新する（ステップＳ１６０）。即ち、コンテンツ処理管理部１５０は、ユーザーＡによって処理が行われた後のコンテンツ及び関連コンテンツを、記憶部１２０に保存されてるコンテンツ及び関連コンテンツに上書き保存する。
【００９１】
次に、コンテンツ処理管理部１５０は、ユーザーＡが行うべき処理の処理状態を「完了」とする（ステップＳ１７０）。
【００９２】
図６及び図７は、コンテンツ処理システム１の第３動作例を説明するためのフローチャートである。
【００９３】
図６及び図７では、コンテンツ処理システム１の第３動作例として、ワークフローにおいて現在行われるべき処理がユーザーＡに遷移し、ユーザーＡが携帯型端末１００により処理を行った後の動作が示されている。
【００９４】
図６において、先ず、ＰＣ２００のコンテンツ処理制御部２５０は、携帯型端末１００とＰＣ２００との接続状況を、接続状況監視部２７０に問い合わせる（ステップＳ２１０）。次に、接続状況監視部２７０は、携帯型端末１００とＰＣ２００とが接続されているか否かを判定する（ステップＳ２２０）。
【００９５】
携帯型端末１００とＰＣ２００とが接続されていないと判定された場合には（ステップＳ２２０：Ｎｏ）、所定期間の後に再び、コンテンツ処理制御部２５０は、携帯型端末１００とＰＣ２００との接続状況を、接続状況監視部２７０に問い合わせる（ステップＳ２１０）。
【００９６】
携帯型端末１００とＰＣ２００とが接続されていると判定された場合には（ステップＳ２２０：Ｙｅｓ）、コンテンツ処理制御部２５０は、ユーザーＡが行うべき処理の処理状態を、携帯端末１００のコンテンツ処理管理部１５０に問い合わせる（ステップＳ２３０）。次に、コンテンツ処理制御部２５０は、コンテンツ処理管理部１５０からの応答に基づいて、ユーザーＡが行うべき処理の処理状態が「完了」であるか否かを判定する（ステップＳ２４０）。
【００９７】
ユーザーＡが行うべき処理の処理状態が「完了」でない、即ち、処理状態が「未処理」又は「処理中」であると判定された場合には（ステップＳ２４０：Ｎｏ）、コンテンツ処理制御部２５０は、所定期間の後に再び、ユーザーＡが行うべき処理の処理状態を、コンテンツ処理管理部１５０に問い合わせる（ステップＳ２３０）。
【００９８】
ユーザーＡが行うべき処理の処理状態が「完了」であると判定された場合には（ステップＳ２４０：Ｙｅｓ）、コンテンツ処理制御部２５０は、処理済みのコンテンツ及び関連コンテンツをＰＣ２００に送信すべき旨の指示を、通信部２３０及び通信部１１０を介して、コンテンツ処理管理部１５０に与える（ステップＳ２５０）。
【００９９】
次に、コンテンツ処理管理部１５０は、ステップＳ２５０においてコンテンツ処理制御部２５０から与えられた指示に応じて、記憶部１２０に保存されている、処理済みのコンテンツ及び関連コンテンツをＰＣ２００に送信する（ステップＳ２６０）。
【０１００】
次に、ＰＣ２００のコンテンツ管理部２６０は、ステップＳ２６０においてコンテンツ処理管理部１５０から送信された処理済みのコンテンツ及び関連コンテンツを記憶部２２０に一時的に保存或いは格納する（ステップＳ２７０）。
【０１０１】
次に、図７において、コンテンツ処理制御部２５０は、記憶部１２０に保存されている処理済みのコンテンツ及び関連コンテンツを消去すべき旨の指示を、通信部２３０及び通信部１１０を介して、コンテンツ処理管理部１５０に与える（ステップＳ２８０）。
【０１０２】
次に、コンテンツ処理管理部１５０は、ステップＳ２８０においてコンテンツ処理制御部２５０から与えられた指示に応じて、記憶部１２０に保存されている処理済みのコンテンツ及び関連コンテンツを消去する（ステップＳ２９０）。
【０１０３】
次に、コンテンツ処理制御部２５０は、ステップＳ２７０において処理済みのコンテンツ及び関連コンテンツが記憶部２２０に保存或いは格納された旨を、ワークフロー管理部２４０に伝達する（ステップＳ３００）。
【０１０４】
次に、ワークフロー管理部２４０は、処理済みのコンテンツ及び関連コンテンツの格納先情報（即ち、処理済みのコンテンツ及び関連コンテンツを格納するコンテンツ管理装置３００における格納場所を示す情報）を、ワークフロー管理装置４００から取得する（ステップＳ３１０）。
【０１０５】
次に、ワークフロー管理部２４０は、処理済みのコンテンツ及び関連コンテンツの格納先情報を、コンテンツ管理部２６０に伝達する（ステップＳ３２０）。この際、ワークフロー管理部２４０は、処理済みのコンテンツ及び関連コンテンツをコンテンツ管理装置３００に格納すべき旨の指示を、コンテンツ管理部２６０に与える。
【０１０６】
次に、コンテンツ管理部２６０は、ステップＳ３２０においてワークフロー管理部２４０から与えられた指示に応じて、記憶部２２０に保存されている処理済みのコンテンツ及び関連コンテンツを、格納先情報に従って、コンテンツ管理装置３００に格納する（ステップＳ３３０）。
【０１０７】
次に、ワークフロー管理部２４０は、ユーザーＡが行うべき処理が完了した旨を、ワークフロー管理装置４００に伝達する（ステップＳ３４０）。これに応じて、ワークフロー管理装置４００は、ワークフローにおける現在行われるべき処理を次の処理に移行させる、即ち、ワークフローにおいて現在コンテンツに処理を行うべきユーザーをユーザーＡから次のユーザーに遷移させる。
【０１０８】
ここで本実施形態では特に、ユーザーＡが行うべき処理が完了した場合には（ステップＳ２４０：Ｙｅｓ）、ユーザーＡが処理を行った処理済みのコンテンツ及び関連コンテンツがＰＣ２００のコンテンツ管理部２６０によってコンテンツ管理装置３００に格納される（ステップＳ３３０）。よって、ユーザーＡが、コンテンツに処理を行った後に、処理済みコンテンツ及び関連コンテンツをコンテンツ管理装置３００に格納する手間を低減或いは無くすことができる。更に、コンテンツに処理が行われてから処理済みのコンテンツ及び関連コンテンツがコンテンツ管理装置３００に格納されるまでの時間を短縮できる。尚、ＰＣ２００のコンテンツ処理制御部２５０及びコンテンツ管理部２６０は、本発明に係る「第２の格納手段」の一例を構成する。
【０１０９】
更に本実施形態では特に、処理済みのコンテンツ及び関連コンテンツがコンテンツ管理部２６０によって記憶部２２０に一時的に保存或いは格納された（ステップＳ２７０）後に、コンテンツ処理管理部１５０は、コンテンツ処理制御部２５０からの指示に応じて、記憶部１２０に保存されている処理済みのコンテンツ及び関連コンテンツを消去する（ステップＳ２９０）。よって、ユーザーＡが携帯型端末１００により処理済みのコンテンツ及び関連コンテンツを管理する手間を低減或いは無くすことができる。更に、携帯型端末１００の記憶部１２０の記憶容量が処理済みのコンテンツ及び関連コンテンツによって圧迫されることを回避できる。尚、ＰＣ２００のコンテンツ処理制御部２５０及びコンテンツ管理部２６０は、本発明に係る「消去手段」の一例を構成する。
【０１１０】
以上説明したように、本実施形態に係るコンテンツ処理システム１によれば、例えば、ユーザーが携帯型端末１００により処理を行う際の、コンテンツ及び関連コンテンツをコンテンツ管理装置３００から携帯型端末１００に格納するためのユーザーの労力や時間を低減できる。よって、コンテンツにワークフローに従って処理を効率的に行うことが可能となる。
【０１１１】
＜第２実施形態＞
第２実施形態に係るコンテンツ処理システムについて、図８から図１０を参照して説明する。
【０１１２】
先ず、第２実施形態に係るコンテンツ処理システムの構成について、図８を参照して説明する。尚、図８において、図１及び図２に示した第１実施形態に係る構成要素と同様の構成要素に同一の参照符合を付し、それらの説明は適宜省略する。
【０１１３】
図８において、第２実施形態に係るコンテンツ処理システム２は、上述した第１実施形態における携帯型端末１００及びＰＣ２００に代えて携帯型端末１００ｂを備える点で、上述した第１実施形態に係るコンテンツ処理システム１と異なり、その他の点については、上述した第１実施形態に係るコンテンツ処理システム１と概ね同様に構成されている。
【０１１４】
コンテンツ処理システム２は、コンテンツ管理装置３００に格納されたコンテンツに、複数のユーザーが携帯型端末１００ｂを用いて、ワークフローに従って処理を行うためのシステムである。
【０１１５】
コンテンツ処理システム２は、複数の携帯型端末１００ｂと、コンテンツ管理装置３００と、ワークフロー管理装置４００とを備えている。複数の携帯型端末１００ｂの各々は、ネットワーク９００を介してコンテンツ管理装置３００及びワークフロー管理装置４００に接続可能に構成されている。
【０１１６】
携帯型端末１００ｂは、上述した第１実施形態における通信部１１０に代えて通信部１１０ｂを備える点、並びにワークフロー管理部１６０及びコンテンツ管理部１７０を更に備える点で、上述した第１実施形態に係る携帯型端末１００と異なり、その他の点については、上述した第１実施形態に係る携帯型端末１００と概ね同様に構成されている。
【０１１７】
通信部１１０ｂは、通信インターフェースを有しており、ネットワーク９００を介してコンテンツ管理装置３００及びワークフロー管理装置４００と通信を行う。
【０１１８】
ワークフロー管理部１６０は、例えばＣＰＵ、ＲＡＭ、ＲＯＭ等からなり、当該携帯型端末１００ｂにより処理が行われるワークフローを管理する。例えば、ワークフローにおいて当該携帯型端末１００ｂにより行われるべき処理の処理状態を管理したり、該処理が行われるべきコンテンツ及び関連コンテンツに関する情報や、処理済みのコンテンツ及び関連コンテンツを格納する格納場所を示す格納先情報をワークフロー管理装置４００から取得したりする。また、ワークフロー管理部１６０は、これらの情報をコンテンツ処理管理部１５０ｂに伝達する。
【０１１９】
コンテンツ管理部１７０は、例えばＣＰＵ、ＲＡＭ、ＲＯＭ等からなり、コンテンツ及び関連コンテンツをコンテンツ管理装置３００から取得して、記憶部１２０に一時的に保存或いは格納する。また、コンテンツ管理部１７０は、記憶部１２０に一時的に保存或いは格納した処理済みのコンテンツ及び関連コンテンツを、通信部１１０ｂを介してコンテンツ管理装置３００に格納する。また、コンテンツ管理部１７０は、記憶部１２０に一時的に保存或いは格納されている処理済みのコンテンツ及び関連コンテンツを、ワークフロー管理部１６０からの指示に応じて消去する。
【０１２０】
次に、第２実施形態に係るコンテンツ処理システムの動作について、図８に加えて図９及び図１０を参照して説明する。
【０１２１】
図９は、コンテンツ処理システム２の第１動作例を説明するためのフローチャートである。
【０１２２】
図９では、コンテンツ処理システム２の第１動作例として、ワークフロー管理装置４００によって管理されているワークフローにおいて現在行われるべき処理が、複数のユーザーのうちユーザーＡに遷移した際の動作が示されている。尚、以下では、携帯型端末１００ｂはユーザーＡに対応して設けられたものとする。
【０１２３】
図９において、先ず、ワークフロー管理部１６０は、ワークフローにおいて現在行われるべき処理がユーザーＡが行うべき処理であるか否かを、通信部１１０ｂ及びネットワーク９００を介して、ワークフロー管理装置４００に問い合わせる（ステップＳ４１０）。次に、ワークフロー管理部１６０は、ワークフロー管理装置４００からの応答に基づいて、ワークフローにおいて現在行われるべき処理がユーザーＡに遷移したか否かを判定する（ステップＳ４２０）。
【０１２４】
現在行われるべき処理がユーザーＡに遷移していないと判定された場合、即ち、現在行われるべき処理が、複数のユーザーのうちユーザーＡ以外の他のユーザーが行うべき処理である場合には（ステップＳ４２０：Ｎｏ）、ワークフロー管理部１６０は、所定期間の後に再び、ワークフローにおいて現在行われるべき処理がユーザーＡが行うべき処理であるか否かをワークフロー管理装置４００に問い合わせる（ステップＳ４１０）。
【０１２５】
現在行われるべき処理がユーザーＡに遷移したと判定された場合、即ち、現在行われるべき処理がユーザーＡが行うべき処理である場合には（ステップＳ４２０：Ｙｅｓ）、ワークフロー管理部１６０は、ユーザーＡが処理を行うべきコンテンツ及び関連コンテンツに関する情報（例えば、コンテンツ及び関連コンテンツの名称やコンテンツ管理装置３００における格納場所を示す情報）を、ワークフロー管理装置４００から取得する（ステップＳ４３０）。この際、ワークフロー管理部１６０は、「ユーザーＡが処理を行うべきコンテンツ及び関連コンテンツに関する情報」をコンテンツ管理部１７０に伝達する。また、ワークフロー管理部１６０は、ユーザーＡが処理を行うべきコンテンツ及び関連コンテンツをコンテンツ管理装置３００から取得する旨の指示を、コンテンツ管理部１７０に与える。
【０１２６】
次に、コンテンツ管理部１７０は、ワークフロー管理部１６０から伝達された「ユーザーＡが処理を行うべきコンテンツ及び関連コンテンツに関する情報」に基づいて、ユーザーＡが処理を行うべきコンテンツ及び関連コンテンツを、通信部１１０ｂ及びネットワーク９００を介して、コンテンツ管理装置３００から取得する（ステップＳ４４０）。この際、コンテンツ管理部１７０は、取得したコンテンツ及び関連コンテンツを記憶部１２０に保存或いは格納する。
【０１２７】
次に、ワークフロー管理部１６０は、現在行われるべき処理がユーザーＡに遷移した旨、並びに「ユーザーＡが処理を行うべきコンテンツ及び関連コンテンツに関する情報」をコンテンツ処理管理部１５０に伝達する（ステップＳ４５０）。
【０１２８】
次に、コンテンツ処理管理部１５０は、ユーザーＡが行うべき処理の処理状態を「処理中」とする（ステップＳ４６０）。
【０１２９】
その後、例えば、ユーザーＡは、携帯型端末１００ｂを携帯して、携帯型端末１００ｂによりコンテンツの処理を行う。
【０１３０】
ここで本実施形態では特に、ワークフローにおいて現在行われるべき処理がユーザーＡに遷移した場合には（ステップＳ４２０：Ｙｅｓ）、ユーザーＡに対応する携帯型端末１００ｂに、ユーザーＡが処理を行うべきコンテンツ及び関連コンテンツが格納される（ステップＳ４３０及びステップＳ４４０）。尚、ワークフロー管理部１６０及びコンテンツ管理部１７０は、本発明に係る「第１の格納手段」の一例を構成する。
【０１３１】
よって、ユーザーＡが携帯型端末１００ｂにより処理を行う際の、コンテンツ及び関連コンテンツをコンテンツ管理装置３００から携帯型端末１００ｂに格納するためのユーザーＡの労力や時間を低減できる。
【０１３２】
図１０は、コンテンツ処理システム２の第２動作例を説明するためのフローチャートである。
【０１３３】
図１０では、コンテンツ処理システム２の第２動作例として、ワークフローにおいて現在行われるべき処理がユーザーＡに遷移し、ユーザーＡが携帯型端末１００ｂにより処理を行った後の動作が示されている。
【０１３４】
図１０において、処理が終了した旨がユーザーＡによって入力部１４０に入力されると、コンテンツ処理管理部１５０は、ユーザーＡが行うべき処理が完了した旨をワークフロー管理部１６０に伝達する（ステップＳ５１０）。
【０１３５】
次に、ワークフロー管理部１６０は、処理済みのコンテンツ及び関連コンテンツの格納先情報（即ち、処理済みのコンテンツ及び関連コンテンツを格納するコンテンツ管理装置３００における格納場所を示す情報）を、ワークフロー管理装置４００から取得する（ステップＳ５２０）。
【０１３６】
次に、ワークフロー管理部１６０は、処理済みのコンテンツ及び関連コンテンツの格納先情報を、コンテンツ管理部１７０に伝達する（ステップＳ５３０）。この際、ワークフロー管理部１６０は、処理済みのコンテンツ及び関連コンテンツをコンテンツ管理装置３００に格納すべき旨の指示を、コンテンツ管理部１７０に与える。
【０１３７】
次に、コンテンツ管理部１７０は、ステップＳ５３０においてワークフロー管理部２４０から与えられた指示に応じて、記憶部１２０に保存されている処理済みのコンテンツ及び関連コンテンツを、格納先情報に従って、コンテンツ管理装置３００に格納する（ステップＳ５４０）。
【０１３８】
次に、ワークフロー管理部１６０は、ユーザーＡが行うべき処理が完了した旨を、ワークフロー管理装置４００に伝達する（ステップＳ５５０）。これに応じて、ワークフロー管理装置４００は、ワークフローにおける現在行われるべき処理を次の処理に移行させる、即ち、ワークフローにおいて現在コンテンツに処理を行うべきユーザーをユーザーＡから次のユーザーに遷移させる。
【０１３９】
次に、ワークフロー管理部１６０は、記憶部１２０に保存されている処理済みのコンテンツ及び関連コンテンツを消去すべき旨の指示をコンテンツ管理部１７０に与える（ステップＳ５６０）。
【０１４０】
次に、コンテンツ管理部１７０は、ステップＳ５６０においてワークフロー管理部１６０から与えられた指示に応じて、記憶部１２０に保存されている処理済みのコンテンツ及び関連コンテンツを消去する（ステップＳ５７０）。
【０１４１】
ここで本実施形態では特に、ユーザーＡが行うべき処理が完了した（ステップＳ５１０）場合には、ユーザーＡが処理を行った処理済みのコンテンツ及び関連コンテンツがコンテンツ管理部１７０によってコンテンツ管理装置３００に格納される（ステップＳ５４０）。よって、ユーザーＡが、コンテンツに処理を行った後に、処理済みコンテンツ及び関連コンテンツをコンテンツ管理装置３００に格納する手間を低減或いは無くすことができる。更に、コンテンツに処理が行われてから処理済みのコンテンツ及び関連コンテンツがコンテンツ管理装置３００に格納されるまでの時間を短縮できる。尚、ワークフロー管理部１６０及びコンテンツ管理部１７０は、本発明に係る「第２の格納手段」の一例を構成する。
【０１４２】
更に本実施形態では特に、コンテンツ管理部１７０は、ワークフロー管理部１６０からの指示に応じて、記憶部１２０に保存されている処理済みのコンテンツ及び関連コンテンツを消去する（ステップＳ５７０）。よって、ユーザーＡが携帯型端末１００ｂにより処理済みのコンテンツ及び関連コンテンツを管理する手間を低減或いは無くすことができる。更に、携帯型端末１００ｂの記憶部１２０の記憶容量が処理済みのコンテンツ及び関連コンテンツによって圧迫されることを回避できる。ワークフロー管理部１６０及びコンテンツ管理部１７０は、本発明に係る「消去手段」の一例を構成する。
【０１４３】
本発明は、上述した実施形態に限られるものではなく、特許請求の範囲及び明細書全体から読み取れる発明の要旨或いは思想に反しない範囲で適宜変更可能であり、そのような変更を伴うコンテンツ処理システム、コンテンツ処理方法、コンピュータープログラム、記憶媒体及び携帯型端末もまた本発明の技術的範囲に含まれるものである。
【符号の説明】
【０１４４】
１００…携帯型端末、１１０…通信部、１２０…記憶部、１３０…表示部、１４０…入力部、１５０…コンテンツ処理管理部、２００…ＰＣ、２１０…情報記憶媒体Ｉ／Ｆ、２２０…記憶部、２３０…通信部、２４０…ワークフロー管理部、２５０…コンテンツ処理制御部、２６０…コンテンツ管理部、２７０…接続状況監視部、３００…コンテンツ管理装置、４００…ワークフロー管理装置、９００…ネットワーク
【図１】
2011181010.tif 000003
【図２】
2011181010.tif 000004
【図３】
2011181010.tif 000005
【図４】
2011181010.tif 000006
【図５】
2011181010.tif 000007
【図６】
2011181010.tif 000008
【図７】
2011181010.tif 000009
【図８】
2011181010.tif 000010
【図９】
2011181010.tif 000011
【図１０】
2011181010.tif 000012